(57)【特許請求の範囲】
【請求項１】
内部の配線を覆い、かつ、複数の分岐開閉器のハンドルに対応する箇所に開口窓を有する本体カバーと、
前記開口窓を覆うように前記本体カバーに取り付けられ、かつ、外側から手で開けることが可能なハンドルカバーとを備え、
前記ハンドルカバーは、弾性変形可能な板状の部材であり、
前記本体カバーは、前記ハンドルカバーを支持する支持面を有し、
前記支持面は、凹部を有し、
前記ハンドルカバーの前記凹部に対応する位置を外側から押さえることで、前記ハンドルカバーの一部が前記支持面から浮き上がることを特徴とする分電盤。
【請求項２】
前記本体カバーは、前記ハンドルカバーを押さえて固定する爪を有し、
前記ハンドルカバーの一部が前記支持面から浮き上がることにより、前記ハンドルカバーが前記爪から外れることを特徴とする請求項１に記載の分電盤。
【請求項３】
前記支持面は、前記開口窓の対向する２辺に、それぞれ前記凹部を有することを特徴とする請求項１または２に記載の分電盤。
【請求項４】
内部の配線を覆い、かつ、複数の分岐開閉器のハンドルに対応する箇所に開口窓を有する本体カバーと、
前記開口窓を覆うように前記本体カバーに取り付けられ、かつ、外側から手で開けることが可能なハンドルカバーとを備え、
前記ハンドルカバーは、切り欠きを有し、
前記本体カバーは、前記ハンドルカバーを押さえて固定する爪を有し、
前記ハンドルカバーを前記本体カバーに取り付けた状態から前記ハンドルカバーをスライドさせた位置において、前記切り欠きが前記爪を避けるように構成されていることを特徴とする分電盤。
【請求項５】
前記ハンドルカバーは、長方形の板状の部材であり、
前記ハンドルカバーには、複数の前記切り欠きが、前記ハンドルカバーの中心軸または中心に対して対称に形成されていることを特徴とする請求項４に記載の分電盤。
【請求項６】
前記ハンドルカバーの前記切り欠きが設けられた辺と、該辺に隣接する前記切り欠きの辺とのなす角は、９０°未満であることを特徴とする請求項４または５に記載の分電盤。
【発明の詳細な説明】
【技術分野】
【０００１】
本発明は分電盤に関する。
【背景技術】
【０００２】
分岐開閉器が設けられた分電盤では、分岐開閉器に設けられたハンドルによって該分岐開閉器の開閉を切り替える。通常、分岐開閉器のハンドルは、操作可能なように外部に露出している。
【０００３】
特許文献１には、分岐開閉器のハンドルがカバーから突出している分電盤が記載されている。特許文献２には、分岐開閉器を配設しない場所に生じる隙間を塞ぐキャップを設けた分電盤が記載されている。特許文献３には、分電盤全体を覆う透明な扉体を設けた分電盤が記載されている。
【先行技術文献】
【特許文献】
【０００４】
【特許文献１】特開平９−６５５１７号公報（１９９７年３月７日公開）
【特許文献２】特開平１０−１０８３１９号公報（１９９８年４月２４日公開）
【特許文献３】特開２０００−３２４６２６号公報（２０００年１１月２４日公開）
【発明の概要】
【発明が解決しようとする課題】
【０００５】
特許文献１、２に記載の分電盤では、分岐開閉器のハンドルが外部に露出している。そのため、外部の物体が分岐開閉器のハンドルに当たると、分岐開閉器が誤動作する可能性がある。例えば、遊技場において分電盤に遊技機を接続する場合、分電盤を配置するスペースおよび位置が制限されることがある。分電盤を配置する位置（高さ）によっては、遊技機の玉またはコイン等が分電盤の分岐開閉器のハンドルに当たる可能性がある。
【０００６】
特許文献３に記載の分電盤では、分電盤全体が扉体によって覆われている。そのため、分岐開閉器のハンドルを操作するときには、扉体を開ける必要がある。したがって、分電盤全体を覆う大きな扉体を開けるために、分電盤の前または周囲に大きなスペースが必要になる。
【０００７】
本発明は、外部の物体による誤作動を防止し、かつ、小さいスペースで使用することができる分電盤を実現することを目的とする。
【課題を解決するための手段】
【０００８】
本発明の一態様に係る分電盤は、内部の配線を覆い、かつ、複数の分岐開閉器のハンドルに対応する箇所に開口窓を有する本体カバーと、上記開口窓を覆うように上記本体カバーに取り付けられ、かつ、外側から手で開けることが可能なハンドルカバーとを備える。
【０００９】
上記の構成によれば、ハンドルカバーが分岐開閉器のハンドルを覆うため、外部の物体が分岐開閉器のハンドルに当たることを防ぐことができる。また、分岐開閉器のハンドルを操作するときに、開口窓を覆うハンドルカバーをユーザが手で開けることが可能であるため、本体カバーを開ける必要がない。そのため、分電盤を小さいスペースで使用することができる。
【００１０】
上記ハンドルカバーは、弾性変形可能な板状の部材であり、上記本体カバーは、上記ハンドルカバーを支持する支持面を有し、上記支持面は、凹部を有し、上記ハンドルカバーの上記凹部に対応する位置を外側から押さえることで、上記ハンドルカバーの一部が上記支持面から浮き上がる構成であってもよい。
【００１１】
上記の構成によれば、支持面から浮き上がったハンドルカバーの一部をユーザが掴むことにより、容易に板状のハンドルカバーを取り外すことができる。そのため、ユーザの作業性を高めることができる。また、ハンドルカバーを、例えば市販の樹脂板等を用いて製作することができるため、容易に低コストでハンドルカバーを製作することができる。
【００１２】
上記本体カバーは、上記ハンドルカバーを押さえて固定する爪を有し、上記ハンドルカバーの一部が上記支持面から浮き上がることにより、上記ハンドルカバーが上記爪から外れる構成であってもよい。
【００１３】
上記の構成によれば、取り付けられたハンドルカバーを爪によって固定することができ、かつ、取り外すときには、容易にハンドルカバーを爪から外すことができる。
【００１４】
上記支持面は、上記開口窓の対向する２辺に、それぞれ上記凹部を有する構成であってもよい。
【００１５】
上記の構成によれば、対向する２辺の位置に凹部が設けられているので、外側からハンドルカバーを押さえたときに、ハンドルカバーが凹部に合わせて変形しやすい。それゆえ、容易にハンドルカバーを取り外すことができる。
【００１６】
上記ハンドルカバーは、切り欠きを有し、上記本体カバーは、上記ハンドルカバーを押さえて固定する爪を有し、上記ハンドルカバーを上記本体カバーに取り付けた状態から上記ハンドルカバーをスライドさせた位置において、上記切り欠きが上記爪を避けるように構成されていてもよい。
【００１７】
上記の構成によれば、切り欠きを爪に合わせるようにしてハンドルカバーを支持面に配置してから、ハンドルカバーをスライドさせることにより、ハンドルカバーを本体カバーに取り付けることができる。そのため、ハンドルカバーの取り付けに関するユーザの作業性を高めることができる。
【００１８】
上記ハンドルカバーは、長方形の板状の部材であり、上記ハンドルカバーには、複数の上記切り欠きが、上記ハンドルカバーの中心軸または中心に対して対称に形成されている構成であってもよい。
【００１９】
上記の構成によれば、中心軸または中心に対してハンドルカバーを回転させた状態でも、切り欠きは同じ位置にある。そのため、ハンドルカバーを取り付ける向きに自由度を持たせることができる。そのため、ハンドルカバーの取り付けに関するユーザの作業性を高めることができる。
【００２０】
上記ハンドルカバーの上記切り欠きが設けられた辺と、該辺に隣接する上記切り欠きの辺とのなす角は、９０°未満である構成であってもよい。
【００２１】
上記の構成によれば、切り欠きを爪の位置に合わせてからハンドルカバーをスライドさせたとき、切り欠きが爪に引っかかりにくい。そのため、ハンドルカバーを本体カバーに容易に取り付けることができる。
【発明の効果】
【００２２】
本発明の一態様によれば、外部の物体による誤動作を防ぐことができる。また、分電盤を小さいスペースで使用することができる。
【図面の簡単な説明】
【００２３】
【図１】本発明の一実施形態に係る分電盤の平面図を示す。
【図２】（ａ）は、主幹ハンドルカバーおよび分岐ハンドルカバーを取り外した状態の分電盤の平面図を示し、（ｂ）は、該状態における分電盤の斜視図を示す。
【図３】上記分岐ハンドルカバーの平面図を示す。
【図４】上記分電盤の、分岐開閉器を通る断面図である。
【図５】分岐ハンドルカバーを取り外した（開けた）状態における、分電盤の第２開口窓の箇所を拡大して示す平面図である。
【図６】分岐ハンドルカバーを取り付けた（閉めた）状態における、分電盤の第２開口窓の箇所を拡大して示す平面図である。
【図７】分岐ハンドルカバーおよび凹部を模式的に示す、図６における切断線Ａ−Ａの断面矢視図である。
【発明を実施するための形態】
【００２４】
図１は、本発明の一実施形態に係る分電盤１の平面図を示す。図２の（ａ）は、主幹ハンドルカバーおよび分岐ハンドルカバーを取り外した状態の分電盤１の平面図を示し、図２の（ｂ）は、該状態における分電盤の斜視図を示す。
【００２５】
分電盤１は、基台２、本体カバー３、主開閉器４、複数の分岐開閉器５、主幹ハンドルカバー１１、および分岐ハンドルカバー１２（ハンドルカバー）を備える。主開閉器４は、開閉（導通／遮断）の切り替え操作を行うための主幹ハンドル４ａを備える。分岐開閉器５は、開閉の切り替え操作を行うための分岐ハンドル５ａ（ハンドル）を備える。主開閉器４および複数の分岐開閉器５は、基台２に取り付けられる。本体カバー３は、分電盤１の内部に設けられた配線（母線等）を覆うように、基台２に対して取り付けられる。本体カバー３は、主幹ハンドル４ａに対応する箇所に第１開口窓３ａを有し、複数の分岐ハンドル５ａに対応する箇所に第２開口窓３ｂを有する。ここでは、基台２、本体カバー３、主幹ハンドルカバー１１、および分岐ハンドルカバー１２は、樹脂製であるが、これに限らず、金属製であってもよい。
【００２６】
また、本体カバー３には、２つの取手部６が設けられている。取手部６は、本体カバー３を基台２に固定するための部材であるとともに、本体カバー３を基台２から取り外すための部材である。なお、本体カバー３における互いに対向する２つの側面のそれぞれには、それぞれの取手部６を配置するための凹部の空間が設けられている。取手部６は、当該凹部の空間内において可動であるように配置されている。このように、凹部の空間内に取手部６が設けられることにより、本体カバー３の取り外し作業が容易化される。これにより、分電盤１のメンテナンス作業が容易化される。
【００２７】
（主幹ハンドルカバーの構成）
主幹ハンドルカバー１１は、第１開口窓３ａを覆うように、本体カバー３に取り付けられる。主幹ハンドルカバー１１および本体カバー３の第１開口窓３ａ周辺には、対応する凸部と凹部が設けられている。凸部と凹部とが係合することにより、主幹ハンドルカバー１１が本体カバー３に固定される。主幹ハンドルカバー１１は、工具を使用することなく外側からユーザの手によって着脱（開閉）することができる。主幹ハンドルカバー１１は、少なくとも部分的に透明または半透明であることが好ましい。これにより、主幹ハンドルカバー１１が閉まった（取り付けられた）状態でも、ユーザは外側から主幹ハンドルカバー１１を通して主幹ハンドル４ａの状態を見ることができる。
【００２８】
固定された軸を中心に回動して開く回動式に比べて、着脱式の主幹ハンドルカバー１１の方が、軸等が壊れることがなく、主幹ハンドルカバー１１が前側に回動するスペースが必要ない。そのため、小さい（狭い）スペースで分電盤１を使用（設置）することができる。
【００２９】
なお、主幹ハンドルカバー１１は、着脱式ではなく、固定された軸を中心に回動して開く構成（回動式）であってもよい。主幹ハンドルカバー１１が回動式であっても、主幹ハンドルカバー１１は、主開閉器４の主幹ハンドル４ａに対応した第１開口窓３ａを覆う大きさで十分である。そのため、主幹ハンドルカバー１１を開けるための前面側のスペースが小さくて済む。
【００３０】
（分岐ハンドルカバーの構成）
図３は、分岐ハンドルカバー１２の平面図を示す。分岐ハンドルカバー１２は、板状の部材であり、長方形状の外形を有する。分岐ハンドルカバー１２は、樹脂製であり、かつ、薄い板状であるため、弾性変形可能である。分岐ハンドルカバー１２は、複数（ここでは４つ）の切り欠き１２ａを有する。ここでは、切り欠き１２ａは、円弧状であるが、三角形状であってもよいし、四角形状であってもよく、任意の形状であってよい。複数の切り欠き１２ａは、分岐ハンドルカバー１２の少なくとも１つの中心軸に対して対称となるように、分岐ハンドルカバー１２に形成されてもよい。例えば、複数の切り欠き１２ａが縦の中心軸に対して対称に形成されている場合、縦の中心軸に対して分岐ハンドルカバー１２を１８０°回転させた状態でも、元の状態と同じように分岐ハンドルカバー１２を本体カバー３に取り付けることができる。水平の中心軸に対して対称な場合、および中心に対して対称な場合についても同様である。分岐ハンドルカバー１２は、少なくとも部分的に透明または半透明であることが好ましい。これにより、分岐ハンドルカバー１２が閉まった（取り付けられた）状態でも、ユーザは外側から分岐ハンドルカバー１２を通して分岐ハンドル５ａの状態を見ることができる。
【００３１】
図４は、分電盤１の、分岐開閉器５を通る断面図である。図４は、（ａ）から（ｃ）にかけて、分岐ハンドル５ａが動く様子を示す。分岐ハンドル５ａが動く軌跡と干渉しないように、分岐ハンドルカバー１２は配置される。すなわち、分岐ハンドルカバー１２は、分岐ハンドル５ａの動作範囲より外側、より具体的には、分岐ハンドル５ａの動作範囲の最も高い位置よりも高い位置に配置される。各分岐開閉器５は、分電盤１に電源を供給するための３種類の母線１７のうちの２つに接続されている。
【００３２】
図５は、分岐ハンドルカバー１２を取り外した（開けた）状態における、分電盤１の第２開口窓３ｂの箇所を拡大して示す平面図である。本体カバー３は、第２開口窓３ｂの周囲に沿って、分岐ハンドルカバー１２を支持するためのカバー支持面１３（支持面）を有する。カバー支持面１３は、分岐ハンドルカバー１２の縁を支持するために、第２開口窓３ｂの略全体の縁に設けられる。本体カバー３は、本体カバー３から突出する突起である複数の爪１４を有する。分岐ハンドルカバー１２は、カバー支持面１３と爪１４との間に挟まれることにより保持される。爪１４が形成されている箇所に、カバー支持面１３が形成されていなくてもよい。このように構成することで、本体カバー３の樹脂成型の際に金型から抜くのが容易となる。なお、爪１４は、カバー支持面１３との間で溝を形成するようにカバー支持面１３に沿って長く延びる突起（突起部）であってもよい。
【００３３】
カバー支持面１３には、複数の凹部１５が設けられている。カバー支持面１３は、第２開口窓３ｂの対向する２辺（長辺）の対向する位置に、それぞれ凹部１５を有する。凹部１５は、第２開口窓３ｂの短辺に隣接する位置、または、短辺の近傍に配置される。本実施形態では、凹部１５は、第２開口窓３ｂの短辺に沿って設けられたカバー支持面１３に隣接するように配置される。また、凹部１５が配置されている側の第２開口窓３ｂの短辺に、爪１４ａが設けられている。爪１４、１４ａは、分岐ハンドルカバー１２を押さえて固定する。
【００３４】
第２開口窓３ｂは、本体カバー３に設けられた複数の架設部１６によって区切られていてもよい。ここでは、複数の架設部１６は、第２開口窓３ｂを横切るように掛け渡されている。複数の架設部１６の上面（外表面）は、カバー支持面１３と同じ面に揃うとともに、図４の（ａ）〜（ｃ）にも示すように、分岐ハンドル５ａの動作範囲の最も高い位置よりも高い位置にある。複数の架設部１６の下面は、隣り合う分岐ハンドル５ａの間の隙間に配置されている。複数の架設部１６は、カバー支持面１３と共に分岐ハンドルカバー１２を支持する。架設部１６は、平面視したときに（分電盤１の前面から見たときに）分岐ハンドル５ａと重ならないように、複数の分岐開閉器５毎に、隣接する分岐開閉器５の間に配置される。架設部１６は、その両側に複数の分岐開閉器５が存在する位置に設けられている。また、隣り合う架設部１６は、所定数（ここでは３つ）の分岐開閉器５を間において配置されている。
【００３５】
図６は、分岐ハンドルカバー１２を取り付けた（閉めた）状態における、分電盤１の第２開口窓３ｂの箇所を拡大して示す平面図である。本体カバー３に分岐ハンドルカバー１２を取り付ける際は、カバー支持面１３と爪１４との間に板状の分岐ハンドルカバー１２を差し込み、分岐ハンドルカバー１２をスライドさせる。分岐ハンドルカバー１２は、本体カバー３に取り付けられた状態では、カバー支持面１３上および架設部１６上に保持されている。
【００３６】
図７は、分岐ハンドルカバー１２および凹部１５を模式的に示す、図６における切断線Ａ−Ａの断面矢視図である。図７の（ａ）は、本体カバー３に分岐ハンドルカバー１２が取り付けられている状態を示し、図７の（ｂ）は、分岐ハンドルカバー１２を外側から押し込んだ状態を示す。ここでは、第２開口窓３ｂはカバー支持面１３より突出した矩形の壁で囲まれている。ここでは、凹部１５の底面は、側面視で円弧状であるが、これに限らず、側面視において凹部１５は（凹部を側面から見た断面形状は）、三角形状または四角形状等の任意の形状であってもよい。分岐ハンドルカバー１２が第２開口窓３ｂに取り付けられた状態において、分岐ハンドルカバー１２の短辺の端は、カバー支持面１３と爪１４ａとの間に挿入されている。
【００３７】
本体カバー３から分岐ハンドルカバー１２を取り外す際は、分岐ハンドルカバー１２の凹部１５に対応する位置を外側からユーザが指等で押さえる。分岐ハンドルカバー１２は、凹部１５の曲面に沿って弾性変形するため、分岐ハンドルカバー１２の一部（短辺の端）がカバー支持面１３から浮き上がる。これにより、分岐ハンドルカバー１２の短辺の端は、爪１４ａから外れる。この状態でユーザは、分岐ハンドルカバー１２の浮き上がった端を指等で掴み、分岐ハンドルカバー１２を引き出すことができる。また、架設部１６が分岐ハンドルカバー１２を支持するため、押さえられた分岐ハンドルカバー１２が意図しない方向に撓んで分岐ハンドル５ａに接触することを防ぐことができる。
【００３８】
本体カバー３に分岐ハンドルカバー１２を取り付ける際は、分岐ハンドルカバー１２の端（短辺）をカバー支持面１３上に配置し、カバー支持面１３に沿って分岐ハンドルカバー１２をスライドさせる。そして、分岐ハンドルカバー１２の位置を第２開口窓３ｂに合わせた後、分岐ハンドルカバー１２の凹部１５に対応する位置をユーザが指等で一度押さえてから離す。これにより、分岐ハンドルカバー１２の端（短辺）が、一旦凹部１５側に引き込まれてから、元に戻る。これにより、第２開口窓３ｂの短辺に位置する爪１４ａの下に分岐ハンドルカバー１２が入り込む。分岐ハンドルカバー１２をスライドさせただけでは爪１４ａの下に分岐ハンドルカバー１２が入らない場合であっても、このように、カバー支持面１３に凹部１５を設けることにより、容易に確実に、分岐ハンドルカバー１２を爪１４ａの下に挿入することができる。分岐ハンドルカバー１２は、工具を使用することなく外側からユーザの手によって着脱（開閉）することができる。
【００３９】
なお、取り付けるために分岐ハンドルカバー１２の端をカバー支持面１３上に配置するときに、分岐ハンドルカバー１２の切り欠き１２ａが本体カバー３の爪１４に対応するように（切り欠き１２ａが爪１４を避ける位置に）、分岐ハンドルカバー１２の位置を合わせてもよい。その位置から、分岐ハンドルカバー１２をカバー支持面１３に押さえ付けながらスライドさせることにより、容易に分岐ハンドルカバー１２をカバー支持面１３と爪１４との間に挿入することができる。また、切り欠き１２ａが円弧状（曲線状）にカーブしているため、スライドさせたときに分岐ハンドルカバー１２が爪１４の下に入り込みやすい。分岐ハンドルカバー１２において、切り欠き１２ａが設けられた辺と、該辺に隣接する切り欠き１２ａの辺（ここでは円弧）とのなす角θは、９０°未満であることが好ましい（図３参照）。それゆえ、切り欠き１２ａは、円弧状または三角形状であることが特に好ましい。これにより、分岐ハンドルカバー１２をスライドさせたときに、切り欠き１２ａの端が爪１４に引っかからないため、分岐ハンドルカバー１２を爪１４とカバー支持面１３との間に挿入しやすい。
【００４０】
固定された軸を中心に回動して開く回動式に比べて、着脱式の分岐ハンドルカバー１２の方が、軸等が壊れることがなく、分岐ハンドルカバー１２が前側に回動するスペースが必要ない。そのため、小さいスペースで分電盤１を使用（設置）することができる。また、本実施形態の分岐ハンドルカバー１２は、板状であるため、市販の樹脂板を切り抜くことによって製造することができる。そのため、回動式に比べて製造コストを低く抑えることができる。
【００４１】
なお、分岐ハンドルカバー１２は、着脱式ではなく、固定された軸または蝶番の軸を中心に回動して開く構成（回動式）であってもよい。また、例えば、分岐ハンドルカバー１２は、スライドして開くシャッター式であってもよい。分岐ハンドルカバー１２が回動式であっても、分岐ハンドルカバー１２は、分岐開閉器５の分岐ハンドル５ａに対応した第２開口窓３ｂを覆う大きさで十分である。そのため、分岐ハンドルカバー１２を開けるための前面側のスペースが小さくて済む。
【００４２】
なお、本実施形態の分電盤１は、住宅用の分電盤にも適用可能であるが、遊技機（例えば、パチンコ台またはスロット台）向けに特に好適である。その理由について、以下に述べる。
【００４３】
一般的に、複数の遊技機は、島と称される複数のグループごとに電気的な制御が行われる。そして、上述の島の電気的な制御を行うための分電盤（制御盤）は、島盤と称される。遊技機がパチンコ台である場合には、島盤は台の上の部分に設置されることが標準的である。他方、遊技機がスロット台である場合には、島盤は台の下の部分に設置されることが標準的である。このように、一般的に島盤の設置位置は制限されることが多い。従って、島盤は、上下左右が壁に密接した狭いスペース内に設置されることとなる。このため、島盤のメンテナンス作業を行う場合には、島盤のカバーを取り付けるための作業スペースも、非常に狭くなる。
【００４４】
しかしながら、本実施形態の分電盤１によれば、上述した通り、主開閉器４の主幹ハンドル４ａに対応した箇所に主幹ハンドルカバー１１を設け、分岐開閉器５の分岐ハンドル５ａに対応した箇所に分岐ハンドルカバー１２を設けている。そのため、狭いスペース内に分電盤１を配置することができる。また、分電盤１では、主幹ハンドル４ａおよび分岐ハンドル５ａが、それぞれ主幹ハンドルカバー１１および分岐ハンドルカバー１２に覆われているため、パチンコ玉またはコイン等の物体が主幹ハンドル４ａおよび分岐ハンドル５ａに接触することを防ぐことができる。
【００４５】
以上のように、本実施形態の分電盤１は、遊技機用の島盤に特に好適な構成である。なお、本実施形態の分電盤１の構成は、遊技機用の島盤のメンテナンス作業の効率化を目的として、本願の発明者によって新たに見出されたものである。
【００４６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００４７】
本発明は、分電盤に利用することができる。
【符号の説明】
【００４８】
１  分電盤
２  基台
３  本体カバー
３ａ  第１開口窓
３ｂ  第２開口窓（開口窓）
４  主開閉器
４ａ  主幹ハンドル
５  分岐開閉器
５ａ  分岐ハンドル（ハンドル）
６  取手部
１１  主幹ハンドルカバー
１２  分岐ハンドルカバー（ハンドルカバー）
１２ａ  切り欠き
１３  カバー支持面（支持面）
１４  爪
１５  凹部
１６  架設部
【図１】
0006521363.tif 000002
【図２】
0006521363.tif 000003
【図３】
0006521363.tif 000004
【図４】
0006521363.tif 000005
【図５】
0006521363.tif 000006
【図６】
0006521363.tif 000007
【図７】
0006521363.tif 000008